(57)【要約】【課題】蓋体の取付け、取り外しが容易に行え、外れにくい蓋体の取付け構造を提供すること。【解決手段】蓋体の取付け構造１００は、本体１と、本体１に着脱可能に嵌合される蓋体２とを備え、本体１が、蓋体２と嵌合するための段差部１１を有し、蓋体２が、嵌合方向奥側の側面２０に突出する第１のリブ２０１と、嵌合方向手前側の側面に第１のリブ２０１からみて斜め下方の位置で突出する第２のリブ２０２とを有し、蓋体２が第２のリブ２０２を段差部１１に当接させて第１のリブ２０１の方向に押し込まれたとき、蓋体２が第１のリブ２０１と第２のリブ２０２が段差部１１を狭持して本体１に嵌合される。【選択図】図１
2015133365.tif 000002
【特許請求の範囲】
【請求項１】
本体と、
前記本体に着脱可能に嵌合される蓋体とを備え、
前記本体が、前記蓋体と嵌合するための段差部を有し、
前記蓋体が、嵌合方向奥側の側面に突出する第１のリブと、嵌合方向手前側の側面に前記第１のリブからみて斜め下方の位置で突出する第２のリブとを有し、
前記蓋体が前記第２のリブを前記段差部に当接させて前記第１のリブの方向に押し込まれたとき、前記第１のリブと前記第２のリブが前記段差部を狭持して前記本体に嵌合される
ことを特徴とする蓋体の取付け構造。
【請求項２】
前記本体が、突出する被係合部を前記蓋体が嵌合される嵌合方向奥側にさらに有し、
前記蓋体が、突出する係合部を嵌合方向奥側にさらに有し、
前記蓋体が嵌合方向に押し込まれたとき、前記被係合部及び前記係合部が、それぞれ先端に有するツメを介して係合する
ことを特徴とする請求項１に記載の蓋体の取付け構造。
【請求項３】
前記本体が、前記蓋体で覆われる開口部を有する
ことを特徴とする請求項１又は２に記載の蓋体の取付け構造。
【発明の詳細な説明】
【技術分野】
【０００１】
本発明は、蓋体の取付け構造に関する。
【背景技術】
【０００２】
蓋体を本体に取り付ける構造としては、蓋体を本体に軸支するもの、蓋体を本体にネジ止めするもの、蓋体を本体に嵌合するもの（例えば、特許文献１参照）などがある。また、そのほかにも、２つの対象物を互いに取り付ける構造としては、例えば、一方の対象物の取付孔に嵌合する突起部と、胴体部と、脚部と、この脚部と協働して他方の対象物を挟み込んで支持する支持部とを有するロッキングスペーサーや、ネジと、ネジ貫通孔を形成したスペーサ部材と、脚部を有しネジ貫通孔を形成したブッシュとを組合せたネジ貫通スペーサを用いて対象物同士を取り付ける構造が知られている。（例えば、特許文献２参照）。
【０００３】
しかし、これらの取付け構造では、本体への取付けは強固であっても取外しが容易でなかったり、あるいは、取付けや取外しに工具を用いなければならなかったりするものが多く、例えば本体側又は蓋体側に設けられた部品などを速やかに取り替える場合に便宜でないという課題があった。そして、この課題を、蓋体の本体への取付け中は振動や意図しない外力によって緩んだり外れたりすることのない範囲で解決するには、蓋体の取付け構造にさらなる工夫が求められていたところである。
【先行技術文献】
【特許文献】
【０００４】
【特許文献１】特開２００２−９４６８号公報
【特許文献２】特開２００７−２８７８２６号公報
【発明の概要】
【発明が解決しようとする課題】
【０００５】
本発明は、本体への取付け、取外しが工具を用いることなく容易に行え、しかも、取付け中は振動や意図しない外力によって緩んだり外れたりすることのない蓋体の取付け構造を提供する。
【課題を解決するための手段】
【０００６】
（１）本発明に係る態様は、本体と、本体に着脱可能に嵌合される蓋体とを備え、本体が、蓋体と嵌合するための段差部を有し、蓋体が、嵌合方向奥側の側面に突出する第１のリブと、嵌合方向手前側の側面に第１のリブからみて斜め下方の位置で突出する第２のリブとを有し、蓋体が第２のリブを段差部に当接させて第１のリブの方向に押し込まれたとき、第１のリブと第２のリブが段差部を狭持して本体に嵌合される蓋体の取付け構造を提供する。
【０００７】
（２）上記（１）に記載の蓋体の取付け構造において、本体が、突出する被係合部を蓋体が嵌合される嵌合方向奥側にさらに有し、蓋体が、突出する係合部を嵌合方向奥側にさらに有し、蓋体が嵌合方向に押し込まれたとき、被係合部及び係合部が、それぞれ先端に有するツメを介して係合してもよい。
【０００８】
（３）上記（１）又は上記（２）に記載の蓋体の取付け構造において、本体が、蓋体で覆われる開口部を有してもよい。
【発明の効果】
【０００９】
本発明によれば、本体への取付け、取外しが工具を用いることなく容易に行え、しかも、取付け中は振動や意図しない外力によって緩んだり外れたりすることのない蓋体の取付け構造を提供することができる。
【図面の簡単な説明】
【００１０】
【図１】本発明の実施形態に係る蓋体の取付け構造を示す斜視図である。
【図２】蓋体取付け前の分解斜視図である。
【図３】蓋体をコネクタ側から見た斜視図である。
【図４】蓋体の取付け構造を示す平面図である。
【図５】図４におけるＡ−Ａ断面図である。
【図６】図４におけるＢ−Ｂ断面図である。
【図７】蓋体取付け前の本体の平面図である。
【図８】蓋体取付け途中の蓋体の取付け構造を示す平面図である。
【発明を実施するための形態】
【００１１】
本発明の実施形態に係る蓋体の取付け構造１００は、本体１に蓋体２を取付ける構造である。より具体的には、蓋体２は本体１に嵌合して取り付けられる。以下、蓋体の取付け構造１００を、添付図面を参照して詳細に説明する。以下の図には、必要に応じて嵌合方向Ｆを実線矢印で示した。
【００１２】
図１において、蓋体の取付け構造１００は、本体１と、本体１に着脱可能に嵌合される蓋体２とを備え、本体１が、蓋体２と嵌合するための段差部１１を有し、蓋体２が、側面２０に突出する第１のリブ２０１と第１のリブ２０１からみて斜め下方の位置で突出する第２のリブ２０２とを有する。
【００１３】
図２において、本体１は、上面１０に蓋体２で覆われる開口部１２を有する。開口部１２の形状は、平面視において略矩形である。蓋体２は、底の無い略直方体形状を有し、上面２１が、蓋体２が本体１に嵌合することにより開口部１２を覆う。本体１としては、特に限定されないが、例えば、電子機器の本体が挙げられる。
【００１４】
本体１は、突出する被係合部１３を蓋体２が嵌合される嵌合方向Ｆの奥側にさらに有する。被係合部１３は、先端１３０にツメ１３１を有している。また、本体１は、嵌合方向Ｆの奥側に、コネクタ１４を有している。
【００１５】
段差部１１は、嵌合方向Ｆに対して開口部１２の両側の本体１に形成されている。段差部１１の形状は、平面視において嵌合方向Ｆに沿って長い矩形状である。本体１は、段差部１１より嵌合方向Ｆの手前側で、嵌合方向Ｆに対して両側に突部１５を有している。突部１５の形状は、段差部１１と同様に、平面視において嵌合方向Ｆに沿って長い矩形状である。突部１５は、段差部１１より下がった方向に設けられ、段差部１１は、突部１５に対して段差として設けられている。
【００１６】
本体１は、段差部１１の嵌合方向Ｆの奥側に、上面１０から立ち上がる突起であるストッパ１６を有している。ストッパ１６は、蓋体２の嵌合方向Ｆへの動きを規制する。
【００１７】
図２、図３及び図４において、第１のリブ２０１及び第２のリブ２０２は、嵌合方向Ｆに対して蓋体２の両側面２０に設けられている。第１のリブ２０１及び第２のリブ２０２の形状は、平面視において嵌合方向Ｆに沿って長い矩形状である。ここで、蓋体２の上面２１に対して本体１の開口部１２に向かう方向を下方と呼ぶ。図２に、下方を破線矢印で示した。
【００１８】
図３では、蓋体２の中に基板３が収められた例を示しており、蓋体２と基板３とで基板ユニット４０を構成している。基板３は、嵌合方向Ｆの奥側に、本体１に設けられたコネクタ１４に接続されるコネクタ３１を備えている。基板３はコネクタ１４及びコネクタ３１を介して図示しない本体１の基板等と電気的に接続される。また、図２、図３及び図４において、蓋体２は、突出する係合部２２を嵌合方向Ｆの奥側にさらに有している。係合部２２は、先端２２０にツメ２２１を有している。なお、ここでは蓋体２の中に基板３が収められた例を示しているが、本実施形態は蓋体２の中に基板３を設けることを必須とするものではなく、基板３が設けられていなくてもよいし、基板３以外の所望の部品が設けられていてもよい。
【００１９】
蓋体２の材質として、例えば、樹脂、金属、セラミックス等を用いることができる。金属の場合、第１のリブ２０１及び第２のリブ２０２は、側面２０の一部を切り起こして外側に折り曲げて容易に形成することができる。また、金属の場合、例えば、基板３に配置された電子部品が発生する電磁波の漏えいを防ぐことができる。樹脂の場合は、成形により形成することができる。
【００２０】
図４、図５及び図６を参照して、蓋体の取付け構造１００において蓋体２が本体１に嵌合している状態についてより詳しく述べる。図４、図５及び図６において、蓋体２は、本体１に嵌合方向Ｆの奥側まで押し込まれている。
【００２１】
図５において、第１のリブ２０１と第２のリブ２０２が段差部１１を狭持している。第２のリブ２０２は、突部１５にも当接し、蓋体２が下方にがたつくのをより防いでいる。
【００２２】
図６において、被係合部１３及び係合部２２が、それぞれ先端に有するツメ１３１，ツメ２２１を介して係合している。被係合部１３は、上方に向かって立ち上がり途中で屈曲して先端１３０が嵌合方向Ｆの手前側に延びる断面がＬ字形状を有し、ツメ１３１は先端１３０から上方に向けて形成されている。一方、係合部２２は、蓋体２の嵌合方向Ｆの奥側の面に嵌合方向Ｆに、矩形の板状に突出して形成され、ツメ２２１は先端２２０から下方にむけて形成されている。また、コネクタ３１がコネクタ１４に接続されている。図５及び図６には、本体１側の基板４を示した。コネクタ３１がコネクタ１４に差し込まれることにより、例えば、基板３に設けられた素子と基板４に設けられた素子とが電気的に接続される。
【００２３】
以下、蓋体２を本体１に取り付ける方法について述べる。最初に、蓋体２取付け前の本体１について図７を用いて説明する。図７において、段差部１１は、突部１５に対して、嵌合方向Ｆの奥側にずれて配置されており重なり合っていない。
【００２４】
図２及び図８において、先ず、蓋体２を本体１の開口部１２に向けて、第１のリブ２０１が段差部１１に当たり、第２のリブ２０２が突部１５に当たるように本体１に差し込む。差し込む方向は下方で、図２に示した破線矢印方向である。
【００２５】
次に、蓋体２を、第２のリブ２０２を段差部１１に当接させて第１のリブ２０１の方向である嵌合方向Ｆに、図４、図５及び図６に示した位置まで押し込む。図５において、蓋体２が第２のリブ２０２を段差部１１に当接させて第１のリブ２０１の嵌合方向Ｆに押し込まれたとき、第１のリブ２０１と第２のリブ２０２が段差部１１を狭持して本体１に嵌合される。
【００２６】
また、蓋体２が嵌合方向Ｆに押し込まれたとき、被係合部１３及び係合部２２が、それぞれ先端１３０，２２０に有するツメ１３１，２２１を介して係合する。ここで、被係合部１３及び係合部２２は、蓋体２が嵌合方向Ｆに押し込まれたとき、少なくとも一方が上方向又は下方向に撓んで、ツメ２２１がツメ１３１を乗り越えて係合できるように弾性を有するのが好ましい。また、振動等によって容易にツメ１３１とツメ２２１の係合が外れない程度の弾性を有するのが好ましい。
【００２７】
実施形態によれば、２つの動作によって蓋体２の取付け、取り外しが容易に行える蓋体の取付け構造１００を提供できる。また、蓋体２を本体１に向けて差し込んで嵌合方向Ｆに押し込むだけで取付け、逆方向の動作で取り外しが行えるので、蓋体２の取付けスペースが少ない場合でも、取付け、取り外しが容易に行える蓋体の取付け構造１００を提供できる。
【００２８】
また、実施形態によれば、被係合部１３及び係合部２２が、それぞれ先端１３０，２２０に有するツメ１３１，２２１を介して係合しているので、蓋体２が外れにくい蓋体の取付け構造１００を提供できる。
【００２９】
また、実施形態によれば、第１のリブ２０１と第２のリブ２０２が段差部１１を狭持しているので、蓋体２のがたつきが少なくなりコネクタ１４及びコネクタ３１へのダメージを低減した蓋体の取付け構造１００を提供できる。
【００３０】
さらに、別体の取付け部材や取付工具を必要とすることなく、蓋体２を本体１に取付けられるので、コストを低減した蓋体の取付け構造１００を提供できる。
【００３１】
以上述べた実施形態において、被係合部１３及び係合部２２の形状は、他の形状であってもよい。例えば、どちらか一方に孔又は凹部を形成し、他方に凸部を形成し、凸部が孔又は凹部に嵌って係合する形状であってもよい。また、被係合部１３及び係合部２２の撓む方向は上下方向に限らず、他の方向に撓んで係合してもよい。
【００３２】
また、蓋体の取付け構造１００は、開口部１２の存在しない本体１の上面１０に段差部１１を設け、第１のリブ２０１を段差部１１に当接させ、第２のリブ２０２を上面１０と段差部１１に当接させて第１のリブ２０１の方向に押し込んで、段差部１１を第１のリブ２０１と第２のリブ２０２で挟持して嵌合させる構造であってもよい。この場合、本体１の上面１０に配置された回路、ディップスイッチ、インターフェイス等を必要に応じて蓋体２で保護したり、隠したりすることができる。
【００３３】
蓋体の取付け構造１００は、壁、天井に取り付ける電子機器、例えば警報装置、電灯、検出器等に適用できるがこれらに限定されるものではない。
【符号の説明】
【００３４】
１  本体
２  蓋体
３  基板
４  本体側の基板
１０  上面
１１  段差部
１２  開口部
１３  被係合部
１４  コネクタ
１５  突部
１６  ストッパ
２０  側面
２１  上面
２２  係合部
３１  コネクタ
４０  基板ユニット
１００  蓋体の取付け構造
１３０  先端
１３１  ツメ
２０１  第１のリブ
２０２  第２のリブ
２２０  先端
２２１  ツメ
Ｆ  嵌合方向
【図１】
2015133365.tif 000003
【図２】
2015133365.tif 000004
【図３】
2015133365.tif 000005
【図４】
2015133365.tif 000006
【図５】
2015133365.tif 000007
【図６】
2015133365.tif 000008
【図７】
2015133365.tif 000009
【図８】
2015133365.tif 000010